(57)【要約】      （修正有）【課題】手間と労力なく運搬・搬入・現場組立などが簡便に行えるとともに安価にして提供できるようにした安全防護装置を提供すること。【解決手段】長手方向とそれより短い幅方向でなる平面矩形で、就寝用品１で就寝する人を地震に伴う家屋の倒壊から護るため、あるいは就寝用品を設置することなく避難空間内に避難する人を護るために構築された立体形状の安全防護装置Ｇであって、基部ブラケット１０と門型の主枠２０と天面ガード３０とを備え、前記基部ブラケットは、座板１１を備えて前記長手方向の前後端部に左右対向状をなして配置されるとともに、これら基部ブラケットの幅方向に配置されたものには、少なくとも前後に一対をなすべく前記主枠がそれぞれ垂直で前後に間隔を置いて平行状をなして立設固定され、これら長手方向に並ぶ前記主枠には、前記天フレームが交差すべく複数本連結固定されていることを特徴とする。【選択図】図５
2010043516.tif 000002
【特許請求の範囲】
【請求項１】
長手方向とそれより短い幅方向でなる平面矩形で、ベッドで代表される洋風就寝用品や敷布団・掛布団で代表される和風就寝用品を設置されて同就寝用品で就寝する人を地震に伴う家屋の倒壊から護るため、あるいは前記就寝用品を設置することなく平面矩形状で立体状をなして形成される避難空間内に逃げ込むことで地震に伴う家屋の倒壊から避難する人を護るために構築された立体形状の安全防護装置であって、基部ブラケットと門型の主枠と天面ガードとを備え、前記基部ブラケットは、座板を備えて前記長手方向の前後端部に左右対向状をなして配置されるとともに、これら基部ブラケットの幅方向に配置されたものには、少なくとも前後に一対をなすべく前記主枠がそれぞれ垂直で前後に間隔を置いて平行状をなして立設固定され、これら長手方向に並ぶ前記主枠には、前記天フレームが交差すべく複数本連結固定されていることを特徴とする安全防護装置。
【発明の詳細な説明】
【技術分野】
【０００１】  本発明は、地震発生に伴う家屋倒壊からそこに住む人を護るための安全防護装置に関する。
【背景技術】
【０００２】  近年、日本においては地震が活動期に入り、大きな地震が頻発しているのが現状である。地震が発生すると、場合によっては家屋が倒壊し、そのままでは寝ている人が圧死する。
【発明が解決しようとする課題】
【０００３】  こうした対策として、家屋自体を耐震補強したり家屋の一室をシェルター化すればよいが工事費が高くついたり工事期間中の通常生活が制約されるなどの問題がある。そこで、規模の小さいものとしてベッドや和装寝具などの就寝用品の周りを囲むような耐震型の安全防護装置を設置して護るようにすればよいが、これまで開発された防護装置はいずれも充分太いパイプを使用ししかも部材同士を一体結合してなっていたので、どうしても運搬・搬入・組立などが重く大掛かりになって大変であり、却って手間と労力を要するだけでなく高くつくものになっていた。
上記に鑑み、本発明は、手間と労力なく運搬・搬入・現場組立などが簡便に行えるとともに安価にして提供できるようにした安全防護装置を提供することを目的とする。
【課題を解決するための手段】
【０００４】  上記課題を解決するため、請求項１記載の発明は、長手方向とそれより短い幅方向でなる平面矩形で、ベッドで代表される洋風就寝用品や敷布団・掛布団で代表される和風就寝用品を設置されて同就寝用品で就寝する人を地震に伴う家屋の倒壊から護るため、あるいは前記就寝用品を設置することなく平面矩形状で立体状をなして形成される避難空間内に逃げ込むことで地震に伴う家屋の倒壊から避難する人を護るために構築された立体形状の安全防護装置であって、基部ブラケットと門型の主枠と天面ガードとを備え、前記基部ブラケットは、座板を備えて前記長手方向の前後端部に左右対向状をなして配置されるとともに、これら基部ブラケットの幅方向に配置されたものには、少なくとも前後に一対をなすべく前記主枠がそれぞれ垂直で前後に間隔を置いて平行状をなして立設固定され、これら長手方向に並ぶ前記主枠には、前記天フレームが交差すべく複数本連結固定されていることを特徴とする。
【発明の効果】
【０００５】  本発明によれば、長手方向とそれより短い幅方向でなる平面矩形で、ベッドで代表される洋風就寝用品や敷布団・掛布団で代表される和風就寝用品を設置されて同就寝用品で就寝する人を地震に伴う家屋の倒壊から護るため、あるいは就寝用品を設置することなく平面矩形状で立体状をなして形成される避難空間内に逃げ込むことで地震に伴う家屋の倒壊から避難する人を護るために構築された立体形状の安全防護装置であって、基部ブラケットと門型の主枠と天面ガードとを備え、前記基部ブラケットは、座板を備えて前記長手方向の前後端部に左右対向状をなして配置されるとともに、これら基部ブラケットの幅方向に配置されたものには、少なくとも前後に一対をなすべく前記主枠がそれぞれ垂直で前後に間隔を置いて平行状をなして立設固定され、これら長手方向に並ぶ前記主枠には、前記天フレームが交差すべく複数本連結固定されていることを特徴とするので、手間と労力なく運搬・搬入・現場組立などが簡便に行えるとともに安価にして提供できるようにした安全防護装置を提供することができる。さらに、部材・部品の共通化を図ってより安価に製作できるとともに運搬・搬入の一連の作業が嵩少なく軽く行えしかも組立が確実で速くできるようにし、さらに、部材が損傷してもその部材のみの交換だけで簡単に対処できるようにした安全防護装置を提供することができる。
【発明を実施するための最良の形態・実施例】
【０００６】  以下、本発明を各実施形態によって詳細に説明するが、各実施形態で説明する技術内容は、他の実施形態にも同様に適用がある。
図１ないし図５は、本発明に係る安全防護装置についての一実施形態を示す。図１はその平面図、図２は出入側からみた正面図、図３は底面図、図４は右側面図、図５は装置Ｇの斜視図である。
この安全防護装置Ｇは、図５に斜視図を示すように、仮想線のベッド（介護ベッドなどを含む）である就寝用品１の周りを取り囲むようにして床（畳を含む）２上に設けられて同就寝用品１上に就寝する人（図示省略）を地震時の家屋倒壊から防護するためのものである。
【０００７】  就寝用品１は、ベッドタイプに代えて、敷布団などの和風就寝用品でもよい。避難用として使用する場合は、内部に就寝用品１が設置されないことがある。  同安全防護装置Ｇは、下地枠５と基部ブラケット１０と主枠２０と天面ガード３０とを備える。尚、同装置Ｇは、図１ないし図３において左右が就寝用品１の長手方向に対応する長手方向（前後方向）、図１および３において上下が幅方向（左右方向）であり、図５において左上から右下に向かう方向が長手方向（前後方向）、右上から左下へ向かう方向が幅方向（左右方向）とする。
【０００８】  下地枠５は、帯長状で幅は同じであるが長さが異なる２種類の強度のある木製（例えば、アイアンウッド）の板６，７でなり、幅方向に対向配置された長いものが側板６とされ、長手方向に対向配置された短いものが端板７とされている。端板７，７は、側板６，６の前後端部間に挟まれるように配置され、これらでなる下地枠５は、畳やフローリングなどの設置面（床２）上において図５のベッド１の裾周りに少しの間隔を置いて対応位置するようにされる。
【０００９】  基部ブラケット１０は、金属製で、座板１１と差込パイプ１２と基部連結板１３とを備える。座板１１は側板６と同等の幅で同板６の１／４前後の長さをもつ板状のもので、その長手方向２個所に差込パイプ１２が溶接にて垂直に固着されている。差込パイプ１２は、座板１１の長手方向の長さの半分程度の高さのものであるが、主枠１５の１／３あるいは１／２、それ以上（例えば、３／４）程度に長く立ち上がるものにしてもよい。
【００１０】  基部連結板１３は、矩形の金属板で、差込パイプ１２の中心線上に対応して同パイプ１２同士をその基部において連結する補強板になっている。勿論、同連結板１３は座板１１にも溶接にて連結されている。同連結板１３は前後に間隔を置いて２枚配置してもよい。差込パイプ１２は図１に平面を示すように、座板１１の一側に偏って配置されており、その広くなった面部には図示しない上ボルト通孔が複数開けられている。この基部連結板１３は、側板６の前後各端部上に前記上ボルト通孔が内側にくるようにして配置され、上ボルト通孔に対応するように側板６の端部に開けられた下ボルト通孔（例えば、裏面からの座ぐり孔）から上ボルト通孔に通された止着具１４…により基部連結板１３が脱着自在に連結固定されている。
尚、２本の差込パイプ１２のうちの外側にくる１本の内側には、差込パイプ１２と座板１１とを連結補強するようにしてコーナー板１５が結合されている。
【００１１】  １７は幅間連結材で、金属製の帯長板でその両端が前記コーナー板１５に止着具１４で連結固定されるとともに舌片１８を端板７上に載せることで止着具１４により相互連結されている。尚、幅間連結材１７は、アングル材や端部を潰した丸パイプ、あるいは四角パイプでもよい。
【００１２】  主枠２０は、本体部分として丸パイプ（呼び２５Ａ）を門型に曲げ成形したものとされ、左右一対の垂直な支柱部分２１，２１とこれら支柱部分２１，２１の上端間をつなぐ水平な上架部分２２と曲がり部分２３とを備えていて支柱部分２１，２１を前記差込パイプ１２，１２に差込み図示しない止着具で挿脱自在に連結固定することで前後位置において一対ずつの主枠２０，２０を固定するものになっている。主枠２０は角パイプであってもよい。
一対の支柱部分２１，２１のうち一方からは、中段および上段位置において表側止め板２４が水平片持状に張り出し、他方の支柱部分２１からは裏側止め板２５が同じ高さにおいて水平片持状に張り出している。
【００１３】  ２６は強度のある合板や多孔板などでなる連結カバーで、やや縦長状とされ、その基部は止着具１４によって基部連結板１３の裏側に脱着自在に取り付けられているとともに前記表側と裏側の止め板２４，２５間に挟まれた状態で止着具１４により脱着自在に挟持されている。この連結カバー２６は、木材質・樹脂質・金属質などのすべてを含むものであり、また、図示では１枚のみであるが複数枚を重ね合わせてもよい。止め板２４，２５および連結カバー２６の取り合い関係は図１の左下欄に横断面として示す。この横断面は、図２のＩ−Ｉ線の拡大断面図に相当する。
このように止め板２４，２５・連結カバー２６が主枠２０，２０間に構成されていることにより主枠２０，２０が前後方向に強い構造体となっている。連結カバー２６がその基部において基部連結板１３を介して基部ブラケット１０に連結されていることにより一層強い支持構造となっている。
【００１４】  そして、主枠２０のうち前後端部に位置するものの上架部分２２には、ブラケット２７が設けられ、同ブラケット２７と前記コーナー板１５との間には帯板状をした斜行材２８が止着具１４により脱着自在に連結固定されていて、主枠２０の幅（左右）方向の変形を食い止めるようになっている。尚、この斜行材２８は、端部を潰した丸あるいは角パイプを使用してもよい。同斜行材２８は場合によっては構成しないことがある。
【００１５】  これら２面ずつで合計４面枠を構成する主枠２０…の上に４本の天面ガード３０…が載せられ、それらが主枠２０に直交する関係で一定に離間して互いに平行をなすように固定されている。この固定は、止着具３１によるもので、この止着具３１は、Ｕ字ボルトとナットとの組み合わせによるものとされている。天面ガード３０は、５０ｍｍ□の四角パイプでなるが、丸パイプやアングル、溝形鋼などでもよい。
【００１６】    尚、前記実施形態では、下地枠５を介して床２上に設置するようにしたが、同下地枠５を構成せず基部ブラケット１０を直接あるいは緩衝材を介して床２上に定着させるように構成することもある。
さらに、図２の右下欄に示すように、地震の揺れで装置Ｇが畳などの床２上に定着状態を維持する目的で、側板６の適所にセット孔３７を開けてその中にゴム質、金属あるいは樹脂などの食い込み片３８を埋め込んでおいて先端（下端）の先鋭部が床２上に食い込むように構成してもよい。
また、座板１１と下地枠５との間あるいは下地枠５と畳などの床２との間には緩衝材を介装して上からの衝撃を緩衝するようにすることもある。
装置Ｇは、畳などの床２に連結したり、さらに床下の地盤（ベタ基礎を含む）に連結固定することもできる。
【００１７】  主枠２０は、前後２本ずつとされているが、３本ずつにすることもできるし、４本以上にすることもできる。
また、同主枠２０は、四角なパイプをもとに逆Ｕ字状に折り曲げたり板状のもの（フラットバー）をもとに折り曲げたりあるいはアングル材をもとに折り曲げて形成したものも使用することができる。
さらに、差込パイプ１２を省略した座板１１に主枠２０の基部を直接溶接固定することもできる。
【００１８】  これらでなる安全防護装置は、図５で示す骨組構造体のみでなるものにして使用してもよいが、図４に仮想線で示すように、主枠２０の奥側の曲げ部分２３に肩受材３３を脱着自在に固定して網状板やパンチングメタルなどによる背面ガード３４を張りつけることにより背面からの倒壊物に備えるようにしてもよい。
この場合、背面ガード３４は、支柱部分２１を横つなぎにする背受材３９でさらに確実に受け止めるようにしてもよい。
背面ガード３４は天面ガード３０上に配したり、図示のように天面ガード３０を挟む上下２層に配してもよい。
このように、曲がり部分２３に肩受材３３を設け、それを取付台にして曲げ成形しない平坦なままの背面ガード３４と天面ガード３０を奥面および天面に配備する構造としたので、ガードの端部を曲がり部分２３に添わせるように予め曲げ成形するものに比べて安価に済む。装置Ｇの前後端面には適宜端面ガードを付すことがある。
天面ガード３０の上面には、止着具３１を利用してＸ字状の補強ステー４０を付すことができる。
【００１９】  また、図４のように曲がり部分２３以外の上架部分２２に天面ガード３０…を配備するものでは、曲がり部分２３に相当する長手方向個所が空き状態になって倒壊物に対する防護範囲が狭くなる。そこで、図４の左上欄および図５に仮想線で示すように、装置Ｇの幅方向となる側部肩位置には、装置Ｇの長手方向に亘るようにして、脱着自在な肩面ガード３６を取り付けておいて、防護範囲を拡げ、倒壊物から就寝する人をより確実に護るようにしてもよい。同ガード３６が肩面にあると、まとまった強い外観印象を与えるものとなる。
この肩面ガード３６は、金属製とするが樹脂や木材など他の材料を用いてもよい。
また、同ガード３６は、装置Ｇの前後肩部の双方に装着しておくこともできる。
さらに、このガード３６は、図４の左上欄のような１／４の部分円弧面状あるいは湾曲面状、若しくは図４右上欄のようなアングル型（受板４１付き）などとすることができ、この場合、強度と緩衝作用が向上するとともに内部の防護空間を広くとることができる。
同ガード３６は、金属、樹脂、木材、ゴムなど広く採用することができる。
また、同ガード３６と主枠２０との間には、図６あるいは図４の右上欄に示すように、ゴムなどの緩衝材４２を介装すると防護効果が上がる。３１は止着具である。
さらに、図４の左上欄に仮想線で示すように、曲がり部分２３の内側に長く添って丸パイプなどの補強部材４３を付加して肩面ガード３６と共締めしてもよい。この場合、２段階の防護効果が得られる。
【００２０】  肩面ガード３６は、図６に示すように、その内面側に緩衝材４２を付したが、図７に示すように、外面側に付してもよい。この場合、さらに凸部４２ａを設けると一段と防護効果が上がる。この凸部４２ａは複数列であってもよい。同緩衝材４２は、波形断面のものでもよい。前記肩面ガード３６は、肩面に限定されず上架部分２２にも同様に取り付けることができる。その場合、凹面を下に向ける態様と上に向ける態様とがある。
【００２１】  図８は変形例を示し、同肩面ガード４５は、金属・樹脂・硬質ゴムなどのパイプ製で、右欄に示すように、両端開放型のパイプの各曲がり部分２３に対応する４箇所に切り欠き４５ａ…を有して曲がり部分２３に嵌り込むようになっている。即ち、右欄のように切り欠き４５ａをＷ、曲がり部分２３の外径をＤとした場合、ＤはＷより僅かに大きくなっていて肩面ガード４５をハンマーにより打ち込むことで曲がり部分２３に嵌り合う程度の寸法精度とされている。切り欠き４５ａの対向する面内に曲がり部分２３が回転しないようにしっかりと捉えるので、主枠２０が倒れようとしてもそれを食い止めるように作用する。切り欠き４５ａの溝奥は角形になっているが曲がり部分２３に合わせて半円弧状にしてもよい。
【００２２】  そして、同ガード４５内には、曲がり部分２３の内外を通るようにして外通し材４６と内通し材４７とが通されて固定化されるようになっている。取付作業にあたっては、曲がり部分２３の下寄りの外周に受止め具を装着し、その上にガード４５が乗り掛かるようにセットすれば作業が楽に行える。同実施形態では、外通し材４６をゴム製とし内通し材４７をパイプ製としてある。このように外通し材４６をゴムとすることで緩衝作用がでてくる。ガード４５をゴム製とし外通し材４６を金属製とすることもできる。内通し材４７は圧入してガード４５を固定かする。
【００２３】  内外の通し材４６，４７は、図９のように共に金属あるいは樹脂製であってもよく、パイプ状あるいは中実状のいずれでもよい。通し材４６，４７は丸断面以外に角断面その他の断面形状でもよい。さらに、同図右欄に示すように、内通し材４７のみを挿入固定してもよい。
【００２４】  図１０は天面ガード（肩面ガードでもよい）の各種変形態様を示すもので、左側に示す天面ガード５０は、半楕円あるいは半円形状をした長尺状をしており、５１は止着具である。右側の天面ガード５３は受皿形断面をしたもので、５４は止着具を示し、この天面ガード５３は凸面を上にしたり上欄に示すように下向きにすることもできる。また、右欄のように溝形材にすることもできる。さらに、右側の天面ガード５５はアングル材によるもので、５６は止着具である。
【００２５】  図１１および１２は他の実施形態を示す。
前記実施形態では、差込パイプ１２…が全て同じ高さであったが、図１１の実施形態では、右側の差込パイプ１２は前記実施形態と略同様の高さのものであるが、左側の差込パイプ１２′は支柱部分２１の略半分程度の高いものになっている。図１２の実施形態ではその逆のパターンになっている。このように高さを変えることによって支柱部分２１の差込み基部の高さが異なるものとなり、従って、図１１，１２の左右方向への負荷に対する抵抗が強くなるものとされる。同様に図１１で言えば、右側の差込パイプ１２の紙面に直交する向こう側の差込パイプ２１′は高くし、左側の差込パイプ１２の紙面に直交する向こう側の差込パイプ２１は低くしておけば手前方向および向こう側への負荷荷重に対して有効に抵抗する構造となる。
これらにおいて、差込パイプ２１′や支柱部分２３の内側には取付片５９…を備えておいて、右側の連結カバー６０を止着具で連結固定すればより一層構造的に剛強化する。また、この連結カバー６０は内外２枚合わせにしてもよい。
【００２６】  図１３ないし図１６は付加的な提案例を示すものである。世界文化遺産である日本の寺が落雷による火災で焼失した事例があり、その原因として、同寺の屋根が雷を引き寄せやすい銅板葺きであったことが挙げられている。
【００２７】  そのことに鑑み、図１３ないし図１６の例は、神社仏閣などはもとより一般民家・他施設などの全ての建造物や屋外の人々等に対する落雷を防止するようにしたものである。
図１３において７０は山々で、それぞれ裾野などには民家７１…が立ち並ぶとともに山々７０の１つには寺の境内が設けられ寺などの重要建造物７２が設置されている。
【００２８】  従来はこの建造物７２に直接落雷Ｘ（破線表示）があって焼失することになっていたが、この例では、建造物７２の設けられている個所よりも高い山頂や斜面…に雷誘導装置Ａ…を設けたものである。
【００２９】  各雷誘導装置Ａは、図１４ないし図１６に詳しく示すように、山頂の地表を木々や草などを伐採して一定広さの装置設置地盤７４とし、その地盤７４の中央に凹み７５を設けてその中に杭本体７６とホルダー７７を備えた導電質の取付杭７８を複数本打ち込んでホルダー７７を介して複数枚の銅板である雷誘導板７９…を配列してなる。
尚、取付杭７８を凹み７５内の地盤に打ち込む際に、図１６のように、保水容器８０を通して打ち込むようにする。保水容器８０は、常に地盤を通電しやすい状態に維持する役目をする。
【００３０】  同装置は、雷誘導板７９…に落雷を誘導して取付杭７８を通じて地盤内にアースするようにしてあるが、雨が同時に降って雷が周囲に拡大するおそれもある。そのため、凹み７５の周囲に相当する地表には通電を阻止するブロックやモルタルなどの通電阻止材８１を敷設しておく。
また、通電があってもその一帯に人が居なければ助かることならびに平時における装置へのいたずらなどを防止するため、外周囲には、施錠可能な開閉扉８２を備えた防護柵８３を設ける。
【００３１】  従って、落雷は図１３にＹで示すように落ちやすい雷誘導板７９…を配備した雷誘導装置Ａに落ち、重要建造物７２や民家７１…などに落ちないものである。
尚、雷誘導板７９は、一様な面状であったが図１６の破線のような多孔面状あるいは枠状さらには波形のものでもよい。同雷誘導板７９は、水平あるいは斜めに設置してより落雷しやすいようにしてもよい。
【００３２】  また、図１６の左欄に示すように、下端を打ち込みあるいは埋め込み可能とする銅製で棒状（パイプも可能）の雷誘導板８５としてアンテナ８６を張ったり、導電質の杭８７付きとした銅メッシュ状の雷誘導板８８としてもよい。杭８７は非導電質としその外周に雨が付かないようにその上方に雨よけを設けてもよい。
さらに、同雷誘導板７９は、図１５の仮想線のように充分に高いものにすれば誘導効果が高くなる。
【００３３】  また、図１７に示すように、複数本のポール９０…により銅メッシュ状の雷誘導板９１を張設してもよい。これに誘導アンテナ９２を立設してもよい。ポール９０は導電質であるが、非導電質にしてもよい。
さらに、落雷の際には地表を雷が流れることがあるが、それを防止するため、図１７の右欄に示すように、装置の外周囲全体に非導電質の内溝部材９４を枠状に構築し、その内溝に雨が入らないようにするとともに溝内に発泡スチロールやゴムなどの非導電部材９５を配備して外方へ雷が伝わらないようにしてもよい。
【００３４】  図１８は付加的な提案例を示す。
七夕祭（七夕）は日本・中国・台湾などにおける節供、節日の１つで旧暦の７月７日の夜のことであるが、明治以降は新暦の７月７日や月遅れの８月７日に分けて行われる慣わしとなっている。
【００３５】  ところで、こうした七夕祭は各地で大掛かりに催されるが、その際、竹が立て掛けられてそれに吹流しや短冊などが飾り付けられるのであるが、その竹は、根元で切ったものが使用されてきた。
従って、こうした根元を切った竹が使用されると、祭の最中で既に笹が枯れてしまって祭が今一つ盛り上がらないという不都合があった。
【００３６】  そのことを考慮して、図１８の左側欄に示すような植え込み式で容易に枯れない七夕演出装置を考えついたものである。
即ち、９８は七夕祭で商店街筋などに添って設置される植え込み鉢で、底板に木や竹などによる割板を組立てて中に土を入れたものでなり、その鉢９８内に竹９９を植え込んで適宜にＰＥＴボトルなどによる補水手段１００により竹笹１０１が枯れることなく永く生育するようにされている。尚、補水手段１００は、鉢９８の上縁に引っ掛けて常備しておくことのできるフックつき抱持具１０２を備えたものにしてよい。１０３は短冊である。
【００３７】  前記実施形態では竹笹１０１に短冊１０３を飾り付けていたが、その他に、図１８の右欄に示すようなセット名を「繁昌笹」（標示版１０５）と称するものにしてもよい。この「繁盛笹」は、竹９９の枝部分に戎神社などで購入できるような福笹１０４を結び付けたもので、この福笹１０４には、竹笹に縁起物ａ・ｂ・ｃ・ｄ・ｅなどをぶら下げたり結び付けたりしたものである。この福笹１０４を１品あるいは複品結び付けて飾り付けるものとする。勿論、縁起物ａないしｅを個別に竹９９の枝にぶら下げたり結び付けてより一層賑やかなものにしてもよい。
標示板１０５はスポーツ団体や選挙当選用の「必勝笹」（優勝笹や当確笹などでもよい）や大学や高校などの「合格笹」と記してもよい。
このように「繁昌笹」としたり「必勝笹」・「合格笹」として飾り付けるようにすれば上記七夕期だけのごく短い期間でなく１年中あるいは一定の長い期間違和感なくこのセットを置いておくことができる。
「必勝笹」の標示には「タイガース」など他のスポーツ団体名を付すことができる。
「合格祈願笹」については、たとえば、「○○大学（あるいは高校）合格祈願笹」として○○の部分を具体的に希望学校名を書き込めるようにしてもよい。単に「合格笹」としてもよい。このようにスポーツ向けの短冊を飾り付けるようにするとほぼ１年間こうしたセットを置いておいても違和感などないものとなる。
また、絵馬を飾り付けるようにしてもよい。
前記実施形態では、竹９９について説明したが、この竹・笹は人工的なものでもよく、また竹に代えて榊・クリスマス用もみの樹・一位の樹などでもよい。
鉢９８は、図１９に示すように、キャスター１０５付きの台座１０６上に載せて移設可能にしてもよい。この台座１０６からは逆Ｕ形をした連結枠１０７を立ち上げて同枠１０７の上端に設けた吊り受け具１０８を持ち掛けることで移設できるようにしたり、同吊り受け具１０８に連結可能な吊り環１０９に持上げバー１１０を差し込んで移設可能にしてもよい。
【００３８】  鉢９８は中の土や竹９９などでかなりの重さになることから上記のような提案をしたが、図１９の右欄に示すように、軽量な小鉢１１２とし安定化のためその底部に丸あるいは角板状、さらに十字などの底板１１３を取り付けてキャスター１１４により移設可能に設置するようにしてもよい。小鉢１１２は樹脂製としてもよい。
また、図２０に示すように、鉢９８から竹９９の基部外周を取り巻くようなラセン環１１６を配備してこれに蔦１１７が延びて生長するようにしてもよい。
さらに、図２１に示すように、杭１１８を一端に備え他端に受け台１１９を備えた長椅子１２０を複数組用意し、杭１１８を鉢９８内の土中に打ち込んで固定しながら受け台１１９を設置面上に設置するようにして長椅子１２０を連設するようにし、そこに座って休憩できるようにしてもよい。１２１は連結具で長椅子１２０相互を繋ぎ安定化させるためのものである。
【００３９】  図２２ないし図２４は付加的な提案例を示し、そのうち図２２の例は、「俳句」の文字を針金や鉄筋などの線材を用いて連続曲げ成形して左欄のように１つのつなぎ文字体１３０として表現するとともに、この文字体１３０を、移動ローラー１３１付きで矩形に形成した飾りフレーム１３２の背部の横架材１３３…に図示しない止着具により定着させてなる。
【００４０】  この文字体１３０には、右欄にも示すように、一般的なイルミネーション（フレキシブルチューブ型電飾品を含む）１３４を添うように取り付けることもあり、また、フレーム上部１３５内を介して照明ライト１３６で照らすようにすることもある。さらに、この文字体１３０には趣味ある人々から俳句を書き記した短冊１３７…を吊り下げるようにすることもできる。
【００４１】  図２３はつなぎ文字体１３８を「短歌」として表したものであり、また、図２４はつなぎ文字体１３９を「川柳」として表したものである。
【００４２】  図２５（装置の縦断正面図）ないし図２８は、旗やデザインフラッグなどで代表される標示部１４０を左右振り出し式とした装置についての付加的な提案例を示すもので、架台１４１上に縦長型矩形立体ケースとしたケース本体１４２を備えて地盤に設置可能とするとともに、架台１４１内には、上部のソーラーパネル（ソーラーフィルムあるいはシートも可能）１４３用の制御ボックス１４４と、直動型電動シリンダやクランク付き減速モーターなどの駆動源１４５を備える。
【００４３】  ケース本体１４２には、その左右両サイドに出没口１４６を開けてあるとともに、同本体１４２の幅間中央を通るように昇降駆動ロッド１４７がガイドローラー１４８に垂直に案内されるように設けられている。図２５では同ローラー１４７が最も上昇した状態を表している。
【００４４】  装置の一部を図２６に取り出して示してあり、１５０は回転支持軸で、ケース本体１４２の上下４点において前後を向くように固定配備されている。同支持軸１５０の周りには、バネ１５１により常に下向きに引かれ固定ストッパ１５２に当たって停まるようにした基部アーム１５３が回転自在に支持されている。このアーム１５３の先端にはアームストッパ１５４が突設されているとともにその手前上側にはヒンジ１５５が設けられている。
【００４５】  ヒンジ１５５には標識１４０を備えた先アーム１５６が回転自在に取り付けられており、同先アーム１５６は、図２６，２７のように基部アーム１５３に対して３０度前後の角度をもって立ち上がった状態でその基部１５７が基部アーム１５３に当たって止まった状態と図２８のようにアームストッパ１５４に当たって基部アーム１５３に平行な状態との間で回転自在になっている。したがって、基部１５７のヒンジ１５５からの長さを図示よりも長くすれば前記立ち上がり角度は小さくなり逆に短くすれば角度は大きくすることができる。そのことから、基部１５７を長短に調節自在に構成して先アーム１５６の立ち上がり角度を調節自在にしたり複数の標識１４０…の高さ調節を自在にすることもできる。
【００４６】  前記昇降駆動ロッド１４７と先アーム１５６との間には、回転ヒンジ１５８をそれぞれに介してリンク１５９で結合されている。こうした機構が図２５のように左右一対ずつ上下複数段に配備されて全体が構成されている。尚、１６０はスピーカーである。
【００４７】  図２６は標示部１４０…の全てがケース本体１４２内に収納された状態を示し、昇降駆動ロッド１４７は最大に持ち上げられてリンク１５９により先アーム１５６が引き上げられる一方基部アーム１５３はバネ１５１で引き下げられた状態にある。その状態から図２５の駆動源１４５を駆動して昇降駆動ロッド１４７を矢印のように引き下げると、先アーム１５６は下がってゆくが、基部アーム１５３はバネ１５１で常に引き下げられた状態にあるので、基部アーム１５３に対して先アーム１５６は少し立ち上がった状態を維持しながら図２７のように全体が倒れてゆき出没口１４６から外部に出てゆく。基部アーム１５３が固定ストッパ１５２に当たるとそこでバネ１５１による引き下げ力は効かなくなるので、それ以降はリンク１５９により先アーム１５６のみが倒れてゆくことになる。先アーム１５６はアームストッパ１５４に当たって基部アーム１５３と平行になったところで止まる。
【００４８】  駆動源１４５が逆方向に駆動されると、ロッド１４７は上昇運動をし、これによりリンク１５９を介して図２７のように先アーム１５６の方が先に持上げられる。そののち、先アーム１５６の基部１５７が基部アーム１５３に当たることで基部アーム１５３までもバネ１５１に抗しながら持上げられるようになり、そのまま図２６のように出没口１４６を通じてケース本体１４２内に全体が収納されることになる。
【００４９】  尚、リンク１５９はリンクチェーンやプレートチェーン、さらにロープ（ワイヤを含む）などの紐類で置き換えてもよい。
バネ１５１はウエイトとしてもよく、バネとウエイトとを併用することもできる。ここにウエイトとは基部アーム１５３それ自体を重くするものも含まれる。
前記ロッド１４７もリンクチェーンなどとしてもよい。
また、前記駆動源１４５は、図２７の途中の状態で停止可能に制御することもできる。
【図面の簡単な説明】
【００５０】
【図１】本発明の一実施形態を示す安全防護装置の平面図。
【図２】同装置の正面図。
【図３】同装置の底面図。
【図４】同装置の右側面図。
【図５】同装置の斜視図。
【図６】他の実施形態を示す横断面図。
【図７】他の実施形態を示す横断面図。
【図８】他の実施形態を示す横断面図。
【図９】他の実施形態を示す横断面図。
【図１０】天面ガードについての他の実施形態を示す模式図。
【図１１】他の実施形態を示す正面図。
【図１２】他の実施形態を示す正面図。
【図１３】付加的な提案例を示す斜視図。
【図１４】雷誘導装置を示す平面図。
【図１５】雷誘導装置の縦断面図。
【図１６】取付杭を示す斜視図。
【図１７】他の実施形態を示す斜視図。
【図１８】他の提案例を示す正面図。
【図１９】他の提案例を示す正面図。
【図２０】他の提案例を示す正面図。
【図２１】他の提案例を示す正面図。
【図２２】付加的な提案例を示す正面図。
【図２３】他の提案例を示す文字体の正面図。
【図２４】他の提案例を示す文字体の正面図。
【図２５】他の提案例を示す縦断正面図。
【図２６】図２５の要部拡大図。
【図２７】作動説明図。
【図２８】作動説明図。
【符号の説明】
【００５１】  Ｇ…安全防護装置  １…ベッド  ２…床  １０…基部ブラケット  ２０…主枠  ２１…支柱部分  ２２…上架部分  ２３…曲げ部分  ３０…天面ガード。
【図１】
2010043516.tif 000003
【図２】
2010043516.tif 000004
【図３】
2010043516.tif 000005
【図４】
2010043516.tif 000006
【図５】
2010043516.tif 000007
【図６】
2010043516.tif 000008
【図７】
2010043516.tif 000009
【図８】
2010043516.tif 000010
【図９】
2010043516.tif 000011
【図１０】
2010043516.tif 000012
【図１１】
2010043516.tif 000013
【図１２】
2010043516.tif 000014
【図１３】
2010043516.tif 000015
【図１４】
2010043516.tif 000016
【図１５】
2010043516.tif 000017
【図１６】
2010043516.tif 000018
【図１７】
2010043516.tif 000019
【図１８】
2010043516.tif 000020
【図１９】
2010043516.tif 000021
【図２０】
2010043516.tif 000022
【図２１】
2010043516.tif 000023
【図２２】
2010043516.tif 000024
【図２３】
2010043516.tif 000025
【図２４】
2010043516.tif 000026
【図２５】
2010043516.tif 000027
【図２６】
2010043516.tif 000028
【図２７】
2010043516.tif 000029
【図２８】
2010043516.tif 000030
【手続補正書】
【提出日】平成21年3月4日(2009.3.4)
【手続補正１】
【補正対象書類名】明細書
【補正対象項目名】全文
【補正方法】変更
【補正の内容】
【発明の詳細な説明】
【技術分野】
【０００１】  本発明は、地震発生に伴う家屋倒壊からそこに住む人を護るための安全防護装置に関する。
【背景技術】
【０００２】  近年、日本においては地震が活動期に入り、大きな地震が頻発しているのが現状である。地震が発生すると、場合によっては家屋が倒壊し、そのままでは寝ている人が圧死する。
【発明が解決しようとする課題】
【０００３】  こうした対策として、家屋自体を耐震補強したり家屋の一室をシェルター化すればよいが工事費が高くついたり工事期間中の通常生活が制約されるなどの問題がある。そこで、規模の小さいものとしてベッドや和装寝具などの就寝用品の周りを囲むような耐震型の安全防護装置を設置して護るようにすればよいが、これまで開発された防護装置はいずれも充分太いパイプを使用ししかも部材同士を一体結合してなっていたので、どうしても運搬・搬入・組立などが重く大掛かりになって大変であり、却って手間と労力を要するだけでなく高くつくものになっていた。
上記に鑑み、本発明は、手間と労力なく運搬・搬入・現場組立などが簡便に行えるとともに安価にして提供できるようにした安全防護装置を提供することを目的とする。
【課題を解決するための手段】
【０００４】  上記課題を解決するため、請求項１記載の発明は、長手方向とそれより短い幅方向でなる平面矩形で、ベッドで代表される洋風就寝用品や敷布団・掛布団で代表される和風就寝用品を設置されて同就寝用品で就寝する人を地震に伴う家屋の倒壊から護るため、あるいは前記就寝用品を設置することなく平面矩形状で立体状をなして形成される避難空間内に逃げ込むことで地震に伴う家屋の倒壊から避難する人を護るために構築された立体形状の安全防護装置であって、基部ブラケットと門型の主枠と天面ガードとを備え、前記基部ブラケットは、座板を備えて前記長手方向の前後端部に左右対向状をなして配置されるとともに、これら基部ブラケットの幅方向に配置されたものには、少なくとも前後に一対をなすべく前記主枠がそれぞれ垂直で前後に間隔を置いて平行状をなして立設固定され、これら長手方向に並ぶ前記主枠には、前記天フレームが交差すべく複数本連結固定されていることを特徴とする。
【発明の効果】
【０００５】  本発明によれば、長手方向とそれより短い幅方向でなる平面矩形で、ベッドで代表される洋風就寝用品や敷布団・掛布団で代表される和風就寝用品を設置されて同就寝用品で就寝する人を地震に伴う家屋の倒壊から護るため、あるいは就寝用品を設置することなく平面矩形状で立体状をなして形成される避難空間内に逃げ込むことで地震に伴う家屋の倒壊から避難する人を護るために構築された立体形状の安全防護装置であって、基部ブラケットと門型の主枠と天面ガードとを備え、前記基部ブラケットは、座板を備えて前記長手方向の前後端部に左右対向状をなして配置されるとともに、これら基部ブラケットの幅方向に配置されたものには、少なくとも前後に一対をなすべく前記主枠がそれぞれ垂直で前後に間隔を置いて平行状をなして立設固定され、これら長手方向に並ぶ前記主枠には、前記天フレームが交差すべく複数本連結固定されていることを特徴とするので、手間と労力なく運搬・搬入・現場組立などが簡便に行えるとともに安価にして提供できるようにした安全防護装置を提供することができる。さらに、部材・部品の共通化を図ってより安価に製作できるとともに運搬・搬入の一連の作業が嵩少なく軽く行えしかも組立が確実で速くできるようにし、さらに、部材が損傷してもその部材のみの交換だけで簡単に対処できるようにした安全防護装置を提供することができる。
【発明を実施するための最良の形態・実施例】
【０００６】  以下、本発明を各実施形態によって詳細に説明するが、各実施形態で説明する技術内容は、他の実施形態にも同様に適用がある。
図１ないし図５は、本発明に係る安全防護装置についての一実施形態を示す。図１はその平面図、図２は出入側からみた正面図、図３は底面図、図４は右側面図、図５は装置Ｇの斜視図である。
この安全防護装置Ｇは、図５に斜視図を示すように、仮想線のベッド（介護ベッドなどを含む）である就寝用品１の周りを取り囲むようにして床（畳を含む）２上に設けられて同就寝用品１上に就寝する人（図示省略）を地震時の家屋倒壊から防護するためのものである。
【０００７】  就寝用品１は、ベッドタイプに代えて、敷布団などの和風就寝用品でもよい。避難用として使用する場合は、内部に就寝用品１が設置されないことがある。  同安全防護装置Ｇは、下地枠５と基部ブラケット１０と主枠２０と天面ガード３０とを備える。尚、同装置Ｇは、図１ないし図３において左右が就寝用品１の長手方向に対応する長手方向（前後方向）、図１および３において上下が幅方向（左右方向）であり、図５において左上から右下に向かう方向が長手方向（前後方向）、右上から左下へ向かう方向が幅方向（左右方向）とする。
【０００８】  下地枠５は、帯長状で幅は同じであるが長さが異なる２種類の強度のある木製（例えば、アイアンウッド）の板６，７でなり、幅方向に対向配置された長いものが側板６とされ、長手方向に対向配置された短いものが端板７とされている。端板７，７は、側板６，６の前後端部間に挟まれるように配置され、これらでなる下地枠５は、畳やフローリングなどの設置面（床２）上において図５のベッド１の裾周りに少しの間隔を置いて対応位置するようにされる。
【０００９】  基部ブラケット１０は、金属製で、座板１１と差込パイプ１２と基部連結板１３とを備える。座板１１は側板６と同等の幅で同板６の１／４前後の長さをもつ板状のもので、その長手方向２個所に差込パイプ１２が溶接にて垂直に固着されている。差込パイプ１２は、座板１１の長手方向の長さの半分程度の高さのものであるが、主枠１５の１／３あるいは１／２、それ以上（例えば、３／４）程度に長く立ち上がるものにしてもよい。
【００１０】  基部連結板１３は、矩形の金属板で、差込パイプ１２の中心線上に対応して同パイプ１２同士をその基部において連結する補強板になっている。勿論、同連結板１３は座板１１にも溶接にて連結されている。同連結板１３は前後に間隔を置いて２枚配置してもよい。差込パイプ１２は図１に平面を示すように、座板１１の一側に偏って配置されており、その広くなった面部には図示しない上ボルト通孔が複数開けられている。この基部連結板１３は、側板６の前後各端部上に前記上ボルト通孔が内側にくるようにして配置され、上ボルト通孔に対応するように側板６の端部に開けられた下ボルト通孔（例えば、裏面からの座ぐり孔）から上ボルト通孔に通された止着具１４…により基部連結板１３が脱着自在に連結固定されている。
尚、２本の差込パイプ１２のうちの外側にくる１本の内側には、差込パイプ１２と座板１１とを連結補強するようにしてコーナー板１５が結合されている。
【００１１】  １７は幅間連結材で、金属製の帯長板でその両端が前記コーナー板１５に止着具１４で連結固定されるとともに舌片１８を端板７上に載せることで止着具１４により相互連結されている。尚、幅間連結材１７は、アングル材や端部を潰した丸パイプ、あるいは四角パイプでもよい。
【００１２】  主枠２０は、本体部分として丸パイプ（呼び２５Ａ）を門型に曲げ成形したものとされ、左右一対の垂直な支柱部分２１，２１とこれら支柱部分２１，２１の上端間をつなぐ水平な上架部分２２と曲がり部分２３とを備えていて支柱部分２１，２１を前記差込パイプ１２，１２に差込み図示しない止着具で挿脱自在に連結固定することで前後位置において一対ずつの主枠２０，２０を固定するものになっている。主枠２０は角パイプであってもよい。
一対の支柱部分２１，２１のうち一方からは、中段および上段位置において表側止め板２４が水平片持状に張り出し、他方の支柱部分２１からは裏側止め板２５が同じ高さにおいて水平片持状に張り出している。
【００１３】  ２６は強度のある合板や多孔板などでなる連結カバーで、やや縦長状とされ、その基部は止着具１４によって基部連結板１３の裏側に脱着自在に取り付けられているとともに前記表側と裏側の止め板２４，２５間に挟まれた状態で止着具１４により脱着自在に挟持されている。この連結カバー２６は、木材質・樹脂質・金属質などのすべてを含むものであり、また、図示では１枚のみであるが複数枚を重ね合わせてもよい。止め板２４，２５および連結カバー２６の取り合い関係は図１の左下欄に横断面として示す。この横断面は、図２のＩ−Ｉ線の拡大断面図に相当する。
このように止め板２４，２５・連結カバー２６が主枠２０，２０間に構成されていることにより主枠２０，２０が前後方向に強い構造体となっている。連結カバー２６がその基部において基部連結板１３を介して基部ブラケット１０に連結されていることにより一層強い支持構造となっている。
【００１４】  そして、主枠２０のうち前後端部に位置するものの上架部分２２には、ブラケット２７が設けられ、同ブラケット２７と前記コーナー板１５との間には帯板状をした斜行材２８が止着具１４により脱着自在に連結固定されていて、主枠２０の幅（左右）方向の変形を食い止めるようになっている。尚、この斜行材２８は、端部を潰した丸あるいは角パイプを使用してもよい。同斜行材２８は場合によっては構成しないことがある。
【００１５】  これら２面ずつで合計４面枠を構成する主枠２０…の上に４本の天面ガード３０…が載せられ、それらが主枠２０に直交する関係で一定に離間して互いに平行をなすように固定されている。この固定は、止着具３１によるもので、この止着具３１は、Ｕ字ボルトとナットとの組み合わせによるものとされている。天面ガード３０は、５０ｍｍ□の四角パイプでなるが、丸パイプやアングル、溝形鋼などでもよい。
【００１６】    尚、前記実施形態では、下地枠５を介して床２上に設置するようにしたが、同下地枠５を構成せず基部ブラケット１０を直接あるいは緩衝材を介して床２上に定着させるように構成することもある。
さらに、図２の右下欄に示すように、地震の揺れで装置Ｇが畳などの床２上に定着状態を維持する目的で、側板６の適所にセット孔３７を開けてその中にゴム質、金属あるいは樹脂などの食い込み片３８を埋め込んでおいて先端（下端）の先鋭部が床２上に食い込むように構成してもよい。
また、座板１１と下地枠５との間あるいは下地枠５と畳などの床２との間には緩衝材を介装して上からの衝撃を緩衝するようにすることもある。
装置Ｇは、畳などの床２に連結したり、さらに床下の地盤（ベタ基礎を含む）に連結固定することもできる。
【００１７】  主枠２０は、前後２本ずつとされているが、３本ずつにすることもできるし、４本以上にすることもできる。
また、同主枠２０は、四角なパイプをもとに逆Ｕ字状に折り曲げたり板状のもの（フラットバー）をもとに折り曲げたりあるいはアングル材をもとに折り曲げて形成したものも使用することができる。
さらに、差込パイプ１２を省略した座板１１に主枠２０の基部を直接溶接固定することもできる。
【００１８】  これらでなる安全防護装置は、図５で示す骨組構造体のみでなるものにして使用してもよいが、図４に仮想線で示すように、主枠２０の奥側の曲げ部分２３に肩受材３３を脱着自在に固定して網状板やパンチングメタルなどによる背面ガード３４を張りつけることにより背面からの倒壊物に備えるようにしてもよい。
この場合、背面ガード３４は、支柱部分２１を横つなぎにする背受材３９でさらに確実に受け止めるようにしてもよい。
背面ガード３４は天面ガード３０上に配したり、図示のように天面ガード３０を挟む上下２層に配してもよい。
このように、曲がり部分２３に肩受材３３を設け、それを取付台にして曲げ成形しない平坦なままの背面ガード３４と天面ガード３０を奥面および天面に配備する構造としたので、ガードの端部を曲がり部分２３に添わせるように予め曲げ成形するものに比べて安価に済む。装置Ｇの前後端面には適宜端面ガードを付すことがある。
天面ガード３０の上面には、止着具３１を利用してＸ字状の補強ステー４０を付すことができる。
【００１９】  また、図４のように曲がり部分２３以外の上架部分２２に天面ガード３０…を配備するものでは、曲がり部分２３に相当する長手方向個所が空き状態になって倒壊物に対する防護範囲が狭くなる。そこで、図４の左上欄および図５に仮想線で示すように、装置Ｇの幅方向となる側部肩位置には、装置Ｇの長手方向に亘るようにして、脱着自在な肩面ガード３６を取り付けておいて、防護範囲を拡げ、倒壊物から就寝する人をより確実に護るようにしてもよい。同ガード３６が肩面にあると、まとまった強い外観印象を与えるものとなる。
この肩面ガード３６は、金属製とするが樹脂や木材など他の材料を用いてもよい。
また、同ガード３６は、装置Ｇの前後肩部の双方に装着しておくこともできる。
さらに、このガード３６は、図４の左上欄のような１／４の部分円弧面状あるいは湾曲面状、若しくは図４右上欄のようなアングル型（受板４１付き）などとすることができ、この場合、強度と緩衝作用が向上するとともに内部の防護空間を広くとることができる。
同ガード３６は、金属、樹脂、木材、ゴムなど広く採用することができる。
また、同ガード３６と主枠２０との間には、図６あるいは図４の右上欄に示すように、ゴムなどの緩衝材４２を介装すると防護効果が上がる。３１は止着具である。
さらに、図４の左上欄に仮想線で示すように、曲がり部分２３の内側に長く添って丸パイプなどの補強部材４３を付加して肩面ガード３６と共締めしてもよい。この場合、２段階の防護効果が得られる。
【００２０】  肩面ガード３６は、図６に示すように、その内面側に緩衝材４２を付したが、図７に示すように、外面側に付してもよい。この場合、さらに凸部４２ａを設けると一段と防護効果が上がる。この凸部４２ａは複数列であってもよい。同緩衝材４２は、波形断面のものでもよい。前記肩面ガード３６は、肩面に限定されず上架部分２２にも同様に取り付けることができる。その場合、凹面を下に向ける態様と上に向ける態様とがある。
【００２１】  図８は変形例を示し、同肩面ガード４５は、金属・樹脂・硬質ゴムなどのパイプ製で、右欄に示すように、両端開放型のパイプの各曲がり部分２３に対応する４箇所に切り欠き４５ａ…を有して曲がり部分２３に嵌り込むようになっている。即ち、右欄のように切り欠き４５ａをＷ、曲がり部分２３の外径をＤとした場合、ＤはＷより僅かに大きくなっていて肩面ガード４５をハンマーにより打ち込むことで曲がり部分２３に嵌り合う程度の寸法精度とされている。切り欠き４５ａの対向する面内に曲がり部分２３が回転しないようにしっかりと捉えるので、主枠２０が倒れようとしてもそれを食い止めるように作用する。切り欠き４５ａの溝奥は角形になっているが曲がり部分２３に合わせて半円弧状にしてもよい。
【００２２】  そして、同ガード４５内には、曲がり部分２３の内外を通るようにして外通し材４６と内通し材４７とが通されて固定化されるようになっている。取付作業にあたっては、曲がり部分２３の下寄りの外周に受止め具を装着し、その上にガード４５が乗り掛かるようにセットすれば作業が楽に行える。同実施形態では、外通し材４６をゴム製とし内通し材４７をパイプ製としてある。このように外通し材４６をゴムとすることで緩衝作用がでてくる。ガード４５をゴム製とし外通し材４６を金属製とすることもできる。内通し材４７は圧入してガード４５を固定かする。
【００２３】  内外の通し材４６，４７は、図９のように共に金属あるいは樹脂製であってもよく、パイプ状あるいは中実状のいずれでもよい。通し材４６，４７は丸断面以外に角断面その他の断面形状でもよい。さらに、同図右欄に示すように、内通し材４７のみを挿入固定してもよい。
【００２４】  図１０は天面ガード（肩面ガードでもよい）の各種変形態様を示すもので、左側に示す天面ガード５０は、半楕円あるいは半円形状をした長尺状をしており、５１は止着具である。右側の天面ガード５３は受皿形断面をしたもので、５４は止着具を示し、この天面ガード５３は凸面を上にしたり上欄に示すように下向きにすることもできる。また、右欄のように溝形材にすることもできる。さらに、右側の天面ガード５５はアングル材によるもので、５６は止着具である。
【００２５】  図１１および１２は他の実施形態を示す。
前記実施形態では、差込パイプ１２…が全て同じ高さであったが、図１１の実施形態では、右側の差込パイプ１２は前記実施形態と略同様の高さのものであるが、左側の差込パイプ１２´は支柱部分２１の略半分程度の高いものになっている。図１２の実施形態ではその逆のパターンになっている。このように高さを変えることによって支柱部分２１の差込み基部の高さが異なるものとなり、従って、図１１，１２の左右方向への負荷に対する抵抗が強くなるものとされる。同様に図１１で言えば、右側の差込パイプ１２の紙面に直交する向こう側の差込パイプ２１´は高くし、左側の差込パイプ１２の紙面に直交する向こう側の差込パイプ２１は低くしておけば手前方向および向こう側への負荷荷重に対して有効に抵抗する構造となる。
これらにおいて、差込パイプ２１´や支柱部分２３の内側には取付片５９…を備えておいて、右側の連結カバー６０を止着具で連結固定すればより一層構造的に剛強化する。また、この連結カバー６０は内外２枚合わせにしてもよい。
【図面の簡単な説明】
【００２６】
【図１】本発明の一実施形態を示す安全防護装置の平面図。
【図２】同装置の正面図。
【図３】同装置の底面図。
【図４】同装置の右側面図。
【図５】同装置の斜視図。
【図６】他の実施形態を示す横断面図。
【図７】他の実施形態を示す横断面図。
【図８】他の実施形態を示す横断面図。
【図９】他の実施形態を示す横断面図。
【図１０】天面ガードについての他の実施形態を示す模式図。
【図１１】他の実施形態を示す正面図。
【図１２】他の実施形態を示す正面図。
【符号の説明】
【００２７】Ｇ…安全防護装置  １…ベッド  ２…床  １０…基部ブラケット  ２０…主枠  ２１…支柱部分  ２２…上架部分  ２３…曲げ部分  ３０…天面ガード。
【手続補正２】
【補正対象書類名】図面
【補正対象項目名】図１３
【補正方法】削除
【補正の内容】
【手続補正３】
【補正対象書類名】図面
【補正対象項目名】図１４
【補正方法】削除
【補正の内容】
【手続補正４】
【補正対象書類名】図面
【補正対象項目名】図１５
【補正方法】削除
【補正の内容】
【手続補正５】
【補正対象書類名】図面
【補正対象項目名】図１６
【補正方法】削除
【補正の内容】
【手続補正６】
【補正対象書類名】図面
【補正対象項目名】図１７
【補正方法】削除
【補正の内容】
【手続補正７】
【補正対象書類名】図面
【補正対象項目名】図１８
【補正方法】削除
【補正の内容】
【手続補正８】
【補正対象書類名】図面
【補正対象項目名】図１９
【補正方法】削除
【補正の内容】
【手続補正９】
【補正対象書類名】図面
【補正対象項目名】図２０
【補正方法】削除
【補正の内容】
【手続補正１０】
【補正対象書類名】図面
【補正対象項目名】図２１
【補正方法】削除
【補正の内容】
【手続補正１１】
【補正対象書類名】図面
【補正対象項目名】図２２
【補正方法】削除
【補正の内容】
【手続補正１２】
【補正対象書類名】図面
【補正対象項目名】図２３
【補正方法】削除
【補正の内容】
【手続補正１３】
【補正対象書類名】図面
【補正対象項目名】図２４
【補正方法】削除
【補正の内容】
【手続補正１４】
【補正対象書類名】図面
【補正対象項目名】図２５
【補正方法】削除
【補正の内容】
【手続補正１５】
【補正対象書類名】図面
【補正対象項目名】図２６
【補正方法】削除
【補正の内容】
【手続補正１６】
【補正対象書類名】図面
【補正対象項目名】図２７
【補正方法】削除
【補正の内容】
【手続補正１７】
【補正対象書類名】図面
【補正対象項目名】図２８
【補正方法】削除
【補正の内容】